(57)【要約】【課題】  駆動装置を覆うカバー部材を備えるエレベータ装置を低コストで提供する。【解決手段】  一部が透明な壁部１２で囲まれた昇降路内１０に設けられる乗りかご本体２１と、乗りかご本体の荷重を一部相殺するように、昇降路内に上下移動可能に設けられる釣り合いおもり本体３１と、昇降路の上下方向に延設され、乗りかご本体の昇降をガイドする一対の乗りかご用レール２２ａ、２２ｂ、及び、釣り合いおもりの昇降をガイドする一対の釣り合いおもり用レール３２ａ、３２ｂと、昇降路内に設けられ、乗りかご本体を上下方向に駆動する駆動装置４と、駆動装置を覆うように、一対の乗りかご用レールのうちの所定の乗りかご用レール、及び、一対の釣り合いおもり用レールのうちの所定の釣り合いおもり用レールに、開閉可能に支持されるカバー部材４０とを備える。【選択図】図２
2014012598.tif 000002
【特許請求の範囲】
【請求項１】
少なくとも一部が透明な壁部で囲まれた昇降路内に、上下移動可能に設けられる乗りかごと、
前記乗りかごの荷重を一部相殺するように、前記昇降路内に上下移動可能に設けられる釣り合いおもりと、
前記昇降路の上下方向に延設され、前記乗りかごの昇降をガイドする一対の乗りかご用レールと、
前記昇降路の上下方向に延設され、前記釣り合いおもりの昇降をガイドする一対の釣り合いおもり用レールと、
前記昇降路内に設けられ、前記透明な壁部を介して前記昇降路の外部から視認可能な位置に配置され、前記乗りかごを上下方向に駆動する駆動装置と、
前記駆動装置を覆うように、前記一対の乗りかご用レールのうちの所定の乗りかご用レール、及び、前記一対の釣り合いおもり用レールのうちの所定の釣り合いおもり用レールに、開閉可能に支持されるカバー部材と
を備えることを特徴とするエレベータ装置。
【請求項２】
前記所定の乗りかご用レールは、前記一対の乗りかご用レールのうち前記駆動装置に近い方のレールであって、
前記所定の釣り合いおもり用レールは、前記一対の釣り合いおもり用レールのうち前記駆動装置に近い方のレールである
ことを特徴とする請求項１に記載のエレベータ装置。
【発明の詳細な説明】
【技術分野】
【０００１】
本発明はエレベータ装置に関する。
【背景技術】
【０００２】
機械室を設けない機械室レスエレベータでは、従来機械室に設置されていた駆動装置は昇降路内に設置される。
【０００３】
このような、機械室レスエレベータに設置される駆動装置のカバー装置として、昇降路内に設置される巻上機のシーブを保護するカバー装置が知られている（特許文献１）。特許文献1に記載のカバー装置は、複数の分割片が、マシンビームに固定された支持部に着脱自在に取り付けられている。
【先行技術文献】
【特許文献】
【０００４】
【特許文献１】特開２００９−２２０９０８号公報
【発明の概要】
【発明が解決しようとする課題】
【０００５】
しかしながら、駆動装置にカバー装置を設置するのはコストがかかるという課題があった。
【０００６】
本発明は、上記課題を鑑みて創案されたものであって、駆動装置を覆うカバー部材を備えるエレベータ装置を低コストで提供することを目的とする。
【課題を解決するための手段】
【０００７】
上記課題を解決すべく、本発明にかかるエレベータ装置は、少なくとも一部が透明な壁部で囲まれた昇降路内に、上下移動可能に設けられる乗りかごと、乗りかごの荷重を一部相殺するように、昇降路内に上下移動可能に設けられる釣り合いおもりと、昇降路の上下方向に延設され、乗りかごの昇降をガイドする一対の乗りかご用レールと、昇降路の上下方向に延設され、釣り合いおもりの昇降をガイドする一対の釣り合いおもり用レールと、昇降路内に透明な壁部を介して昇降路の外部から視認可能な位置に配置され、乗りかごを上下方向に駆動する駆動装置と、駆動装置を覆うように、一対の乗りかご用レールのうちの所定の乗りかご用レール、及び、一対の釣り合いおもり用レールのうちの所定の釣り合いおもり用レールに、開閉可能に支持されるカバー部材とを備える。
【０００８】
また、所定の乗りかご用レールは、一対の乗りかご用レールのうち前記駆動装置に近い方のレールであって、所定の釣り合いおもり用レールは、一対の釣り合いおもり用レールのうち前記駆動装置に近い方のレールであってもよい。
【発明の効果】
【０００９】
本発明に係るエレベータ装置にあっては、駆動装置を覆うカバー部材を取り付けるに際し、コストを抑えることができる。
【図面の簡単な説明】
【００１０】
【図１】エレベータ装置を側方から見た模式図である。
【図２】エレベータ装置の平断面図である。
【図３】巻上機の設置の状態を示す正面図である。
【図４】巻上機の点検台の取付けを示した側面図である。
【図５】カバー部材の閉じた状態を示す平面図である。
【図６】カバー部材の閉じた状態を示す正面図である。
【図７】カバー部材の開いた状態を示す平面図である。
【発明を実施するための形態】
【００１１】
以下、図面に基づいて発明の実施の形態を説明する。詳細は後述するように、本実施形態に係るエレベータ装置は、少なくとも一部が透明な壁部で囲まれた昇降路内に、上下移動可能に設けられる乗りかご本体と、乗りかご本体の荷重を一部相殺するように、昇降路内に上下移動可能に設けられる釣り合いおもり本体と、昇降路の上下方向に延設され、乗りかご本体の昇降をガイドする一対の乗りかご用レールと、昇降路の上下方向に延設され、釣り合いおもり本体の昇降をガイドする一対の釣り合いおもり用レールと、昇降路内に設けられ、透明な壁部を介して昇降路の外部から視認可能な位置に配置され、乗りかご本体を上下方向に駆動する駆動装置と、駆動装置を覆うように、一対の乗りかご用レールのうちの所定の乗りかご用レールと、一対の釣り合いおもり用レールのうち所定の釣り合いおもり用レールとに開閉可能に支持されるカバー部材とを備える。
【００１２】
以下、本発明の実施の形態に係るエレベータ装置について、図１〜図７を基に説明する。
【００１３】
図１は、本実施形態に係るエレベータ装置１を側方から見た模式図である。以下に説明するエレベータ装置１は、例えば、建造物に形成された昇降路１０内に駆動装置としての巻上機４が設置される、機械室レスエレベータである。エレベータ装置１は、建物の上下方向に形成された昇降路１０と、昇降路１０に設けられる以下の要素、例えば、乗りかご２０、釣り合いおもり３０、主索（ロープ）２、複数のプーリ３、巻上機４及びカバー部材４０を備える。
【００１４】
乗りかご２０は、昇降路１０に上下移動可能に設けられる乗りかご本体２１と、昇降路１０内での乗りかご本体２１の昇降をガイドする乗りかご用ガイドレール２２ａ、２２ｂ（図２参照）とを備える。釣り合いおもり３０は、乗りかご本体２１の荷重を一部相殺するように、昇降路１０内に上下移動可能に設けられる釣り合いおもり本体３１と、釣り合いおもり本体３１の昇降をガイドする釣り合いおもり用ガイドレール３２ａ、３２ｂ（図２参照）とからなる。乗りかご本体２１と釣り合いおもり本体３１は、複数のプーリ３を介して、主索２で連結される。巻上機４は、乗りかご本体と２１と釣り合いおもり本体３１との間に位置してピット１４に設置され、主索２を駆動する綱車４ａが組み込まれて構成される。なお、巻上機４は、図示のように、昇降路１０のピット１４の上方に若干飛び出すようにして設けられてもよい。昇降路１０には、巻上機４の正面（綱車４ａ側の面）及び側面を覆うカバー部材４０が設けられている。カバー部材４０の両端は、二点鎖線で示される乗りかご用レール２２ａ及び釣り合いおもり３２ａに取り付けられる。
【００１５】
図２は、本実施形態に係るエレベータ装置１の平断面図である。
【００１６】
エレベータ装置１は、展望用のエレベータなどにみられる所謂シースルー型のエレベータであってもよい。この場合、昇降路１０は、少なくとも一部が透明な壁部１２で囲まれており、カバー部材４０を取り外した状態では透明な壁部１２を介して巻上機４が外部から視認可能となる。図示例では、昇降路１０の壁は、乗り場ドア１３に対向する後壁の一部を透明な壁部１２とし、それ以外を不透明な壁部１１として構成されている。しかし、後壁の全部を透明な壁部としてもよいし、それ以外の壁を透明な壁部としてもよい。透明な壁部は、例えば、ガラス板で構成されてもよい。
【００１７】
巻上機４は、昇降路１０の側壁１１ａと乗りかご本体２１との間にある隙間Ｓに、側壁１１ａに対面するように設けられる。昇降路１０には、巻上機４に近接する位置であって、かつ、透明な壁部１２を含む後壁に対面するように、釣り合いおもり本体３１が設けられる。
【００１８】
釣り合いおもり本体３１の両端には、一対の釣り合いおもり用レール３２ａ、３２ｂが昇降路１０の上下方向に延設される。乗りかご本体２１の両端には、一対の乗りかご用レール２２ａ、２２ｂが昇降路１０の上下方向に延設される。釣り合いおもり用レール３２ａ、３２ｂ及び乗りかご用レール２２ａ、２２ｂは、それぞれが断面略Ｔ字状に形成される。
【００１９】
巻上機４は、一対の釣り合いおもり用レール３２ａ、３２ｂのうち、巻上機４に近い側の釣り合いおもり用レール３２ａと、一対の乗りかご用レール２２ａ、２２ｂのうち、巻上機４に近い側の乗りかご用レール２２ａとの間に設けられてもよい。
【００２０】
巻上機４と透明な壁部１２との間には、巻上機４の正面及び側面を覆うように、カバー部材４０が開閉可能に設けられる。カバー部材４０は、それぞれ、巻上機４に近い側である、釣り合いおもり用レール３２ａ及び乗りかご用レール２２ａに取り付けられる。カバー部材４０は、昇降路１０の外部から透明な壁部１２を介して巻上機４が見えなくなるように設置されてもよい。これにより、透明な壁部１２を介して外部から巻上機４が見えてしまい、エレベータ装置１の外観を損ねることを防止することができる。
【００２１】
図３は、図２の巻上機４の設置の状態を、巻上機４の正面（図２の矢示III方向）からみた正面図である。この図においては、説明のため、カバー部材４０を省略している。
【００２２】
上述のように、巻上機４は、釣り合いおもり用レール３２ａ及び乗りかご用レール２２ａに取り付けられる。具体的には、これら乗りかご用レール２２ａ及び釣り合いおもり用レール３２ａを跨いで複数のビーム６が架設され、ビーム６に固定された一対の支持具５を介して巻上機４が固定される。なお、巻上機４の取付けは、上記のものに限定されずどのようなものであってもよい。
【００２３】
図４は、巻上機４の点検台８の取付け状態の一例を示す側面図である。
【００２４】
一対の支持具５には、巻上機４よりも下方に位置して、図示しないヒンジを介して回動自在に点検台８が取り付けられる。一対の支持具５には、巻上機４の上方に位置して、巻上機４の前後方向に回動自在に吊りブラケット７が取り付けられる。吊りブラケット７の下方、及び、点検台８の前方がフックなどの図示しない係合具で係合されることにより、点検台８は、巻上機４の前方側に突出するように設置される。これにより、巻上機４を点検する際には、カバー部材４０は巻上機４の正面を露出するように開放される（図７参照）。
【００２５】
以下、カバー部材４０について詳細に説明する。
【００２６】
図５は、カバー部材４０の閉じた状態を示す平面図である。図６は、カバー部材４０の閉じた状態を示す正面図である。図７は、カバー部材４０の開いた状態を示す平面図である。
【００２７】
カバー部材４０は、金具４１、案内部４３、及び一対のカバー４２ａ、４２ｂを備える。
【００２８】
案内部４３は、カバー４２ａ、４２ｂの開閉移動を案内する。具体的には、例えば、案内部４３は、カバー４２ａ、４２ｂがスライド可能に取り付けられる取付レールであってもよい。案内部４３は、カバー部材４０が取付けられる２つのレール２２ａ、３２ａの間に位置して、ピット１４の底部に設置される。具体的には、例えば、案内部４３は、ピット１４の底部において、巻上機４の正面側及び両側面側に沿うように設けられる。案内部４３の両側の端部には、それぞれ一対のカバー４２ａ、４２ｂの一端部が固定されてもよい。
【００２９】
一対のカバー４２ａ、４２ｂは、案内部４３にスライド自在に設置される。一対のカバー４２ａ、４２ｂは、巻上機４の正面で開閉され、両面開き可能に形成される。また、カバー４２ａ、４２ｂは、蛇腹状に折り畳まれて開放される、シャッター型のものであってよい。
【００３０】
金具４１は、カバー部材４０を開いたときにカバー部材４０を収容するためのものである。金具４１は、その一端部が、ボルトやレールクリップなどの固定具４４によりカバー部材４０を取り付けるレール２２ａ、３２ａに固定される。図示例では、金具４１は、乗りかご用レール２２ａ、及び釣り合いおもり用レール３２ａに上下に離間してそれぞれ２つずつ、合計４つ固定されている。金具４１は、案内部４３に設けられたカバー４２ａ（又は４２ｂ）の一端側を囲うような形状であって、その内部には、折り畳まれた状態のカバー４２ａ（又は４２ｂ）の一部又は全部を収容する収容部４１ａが形成されている。
【００３１】
図５及び図６に示されるように、カバー部材４０が閉じられた状態では、カバー４２ａ、４２ｂは、例えば磁石などから構成される図示しない係止部により係止される。また、例えば、カバー４２ａ、４２ｂには、その開閉を容易にする取手４５が取り付けられてもよい。図７に示されるように、カバー部材４０が開かれた状態では、折り畳まれたカバー４２ａ、４２ｂは、その一部又は全部が、左右の収容部４１ａにそれぞれ収容される。
【００３２】
このように構成される本実施形態では、巻上機４を覆うカバー部材４０を、予めエレベータ装置１に設置されている、一対の乗りかご用レール２２ａ、２２ｂのうちの所定の乗りかご用レール２２ａ、及び一対の釣り合いおもり用レール３２ａ、３２ｂのうちの所定の釣合いおもり用レール３２ａを用いて取付ける。従って、現存する資源（２２ａ、３２ａ）を有効利用してカバー部材４０を設けるため、コストをあまり増加させずに巻上機４を隠すことができ、美観を改善することができる。
【００３３】
また、本実施形態では、カバー部材４０の下側を、ピット底部に設けられた案内部４３で案内して開閉させる。そして、カバー部材４０を全開するときは、金具４１の収容部４１ａに収容することができる。従って、作業者は、カバー部材４０を収容し、点検台８を引き出して、巻上機４の保守点検を容易に行うことができる。また、カバー部材４０が閉じた場合は、巻上機４を外部からの視線から覆い隠すことができると共に、カバー部材４０を案内部４３で支持しているため、カバー部材４０が前後左右に変位して乗りかご２１などに接触するのを防止することができる。
【００３４】
なお、本発明は、上述した実施形態に限定されない。当業者であれば、本発明の範囲内で、種々の追加や変更等を行うことができる。
【００３５】
例えば、上記実施形態においては、カバー部材４０は、２つのカバー４２ａ及び４２ｂを有し、これらが巻上機４の正面で開閉される、両面開きに形成されていたがこれに限定されない。例えば、片開き式のカバー部材として構成してもよい。
【００３６】
また例えば、釣り合いおもり本体３１は、隙間Ｓに巻上機４に並設するように設けられてもよい。
【００３７】
例えば、上記実施形態においては、案内部４３は、ピット１４の底部に設置されていたがこれに限定されない。例えば、案内部４３は、その両端が釣合いおもり用レール３２ａ及び乗りかご用レール２２ａに取付けられて、カバーの上端が案内するようにされてもよいし、カバーの上端側とピット１４の底部とにそれぞれ設けられてもよい。
【符号の説明】
【００３８】
１  エレベータ装置、１０  昇降路、１１  不透明な壁部、１２透明な壁部、１３  乗りかごドア、２０  乗りかご、２１  乗りかご本体、２２ａ、２２ｂ  乗りかご用レール、３０  釣り合いおもり、３１  釣り合いおもり本体、３２ａ、３２ｂ釣り合いおもり本体、４  巻上機、４０  カバー部材、４１  金具、４２ａ、４２ｂ  カバー、４３  案内部
【図１】
2014012598.tif 000003
【図２】
2014012598.tif 000004
【図３】
2014012598.tif 000005
【図４】
2014012598.tif 000006
【図５】
2014012598.tif 000007
【図６】
2014012598.tif 000008
【図７】
2014012598.tif 000009